(57)【特許請求の範囲】
【請求項１】
筐体（１００）と、前記筐体（１００）に埋め込まれたリードフレーム（２００）とを備え、
前記リードフレーム（２００）は、互いに電気絶縁された第１の領域（２１０）と、第２の領域（２２０）と、第３の領域（２３０）とを含んでおり、
前記第１の領域（２１０）および前記第２の領域（２２０）は、それぞれＬ形であり、
前記第１の領域（２１０）、前記第２の領域（２２０）、および前記第３の領域（２３０）は、それぞれ、隙間（２０３）で互いに隔てられており、
前記第１の領域（２１０）、前記第２の領域（２２０）、および前記第３の領域（２３０）は、前記第３の領域（２３０）が前記第１の領域（２１０）と前記第２の領域（２２０）とに挟まれて、ほぼ長方形を構成し、
前記筐体（１００）は空洞（１１０）を有しており、
前記リードフレーム（２００）の前記第１の領域（２１０）、前記第２の領域（２２０）、および前記第３の領域（２３０）の上面（２１１、２２１、２３１）の少なくとも一部が、前記空洞（１１０）に露出しており、
前記第１の領域（２１０）の前記上面（２１１）の第１の部分（２１３）および第２の部分（２１４）が、前記空洞（１１０）に露出しており、
前記筐体（１１０）の条片（１２０）が、前記第１の部分（２１３）と前記第２の部分（２１４）との間の前記第１の領域（２１０）の前記上面（２１１）の領域を覆っている、
エレクトロニクス部品（２０）のためのパッケージ（１０）。
【請求項２】
前記第１の領域（２１０）と前記第２の領域（２２０）とは、互いにミラー対称である、
請求項１に記載のパッケージ（１０）。
【請求項３】
前記リードフレーム（２００）は、ミラー対称である、
請求項２に記載のパッケージ（１０）。
【請求項４】
前記リードフレーム（２００）の前記第１の領域（２１０）、前記第２の領域（２２０）、および前記第３の領域（２３０）の底面（２１２、２２２、２３２）の少なくとも一部が、前記筐体（１００）の底面（１０２）で露出している、
請求項１から３のいずれか一項に記載のパッケージ（１０）。
【請求項５】
請求項１に記載のパッケージ（１０）と、
前記第３の領域（２３０）の前記上面（２３１）上の前記空洞（１１０）に配置されたエレクトロニクス半導体チップ（３００）と、
を備える、エレクトロニクス部品（２０）。
【請求項６】
前記エレクトロニクス部品（２０）は、前記第３の領域（２３０）の前記上面（２３１）に配置されたエレクトロニクス半導体チップ（３００）を少なくとも２つ備えており、
前記エレクトロニクス半導体チップ（３００）の少なくとも２つは、前記第１の領域（２１０）および前記第２の領域（２２０）と直列配置で電気接続されている、
請求項５に記載のエレクトロニクス部品（２０）。
【請求項７】
前記エレクトロニクス部品（２０）は、前記第３の領域（２３０）の前記上面（２３１）に配置されたエレクトロニクス半導体チップ（３００）を少なくとも２つ備えており、
前記エレクトロニクス半導体チップ（３００）の少なくとも２つは、前記第１の領域（２１０）および前記第２の領域（２２０）と並列配置で電気接続されている、
請求項５又は６に記載のエレクトロニクス部品（２０）。
【請求項８】
請求項５から７のいずれか一項に記載のエレクトロニクス部品（２０）を少なくとも２つ備える、
エレクトロニクス装置（３０）。
【請求項９】
前記エレクトロニクス部品（２０）の少なくとも２つは、直列配置で電気接続されている、
請求項８に記載のエレクトロニクス装置（３０）。
【請求項１０】
前記エレクトロニクス部品（２０）の少なくとも２つは、並列配置で電気接続されている、
請求項８又は９に記載のエレクトロニクス装置（３０）。
【発明の詳細な説明】
【技術分野】
【０００１】
本発明は、請求項１に記載のエレクトロニクス部品のためのパッケージ、請求項８に記載のエレクトロニクス部品、および請求項１１に記載のエレクトロニクス装置に関する。
【背景技術】
【０００２】
従来からエレクトロニクス部品のための様々なパッケージが知られている。
【発明の概要】
【発明が解決しようとする課題】
【０００３】
本発明の目的の１つは、エレクトロニクス部品のためのパッケージを提供することである。この目的は、請求項１の特徴を備えるパッケージによって達成される。本発明のさらなる目的の１つは、エレクトロニクス部品を提供することである。この目的は、請求項８の特徴を備えるエレクトロニクス部品によって達成される。本発明のさらなる目的の１つは、エレクトロニクス装置を提供することである。この目的は、請求項１１の特徴を備えるエレクトロニクス装置によって達成される。さらなる発展形態が、従属請求項に開示されている。
【課題を解決するための手段】
【０００４】
エレクトロニクス部品のためのパッケージは、筐体と、筐体に埋め込まれたリードフレームとを備えている。リードフレームは、互いに電気絶縁された第１の領域と、第２の領域と、第３の領域とを含んでいる。第１の領域および前記第２の領域は、それぞれＬ形である。
【０００５】
パッケージのリードフレームのＬ形である第１の領域および第２の領域によって、これら第１の領域および第２の領域に、エレクトロニクス半導体チップを電気接続するボンドワイヤを接続するための複数のワイヤボンディング位置が提供され有利である。このため、パッケージにおいて異なる種類のエレクトロニクス半導体チップを、想定されうる種々の配向で配置することが可能となる。これによって、パッケージを様々な用途に種々の配置で使用することが可能となり有利である。
【０００６】
パッケージの一実施形態において、第１の領域と第２の領域とは、互いにミラー対称である。このため、省スペースかつ機械的に頑丈なパッケージ構造が可能となり有利である。
【０００７】
パッケージの一実施形態において、リードフレームはミラー対称である。このため、コンパクトかつ機械的に頑丈なパッケージ構造が可能となり有利である。
【０００８】
パッケージの一実施形態において、第３の領域は、第１の間隙と第２の間隙とを有している。第１の間隙および第２の間隙は、それぞれＬ形である。第１の領域は第１の間隙に配置されており、第２の領域は第２の間隙に配置されている。このパッケージの一実施形態においては、リードフレームの第１の領域、第２の領域、および第３の領域は、組み合わさって長方形を構成しうる。このため、パッケージのコンパクトな設計が可能となり、また、パッケージのリードフレームを、材料を節約して製造することが可能となり有利である。
【０００９】
パッケージの一実施形態において、リードフレームの第１の領域、第２の領域、および第３の領域の底面の少なくとも一部が、筐体の底面で露出している。このようなパッケージのリードフレームの第１の領域、第２の領域、および第３の領域の露出した底面によって、パッケージの表面実装が可能となり有利である。パッケージは、例えばリフローはんだ付けなどのＳＭＴ（ｓｕｒｆａｃｅ  ｍｏｕｎｔ  ｔｅｃｈｎｏｌｏｇｙ）法等によって表面実装しうる。パッケージのリードフレームの第１の領域および第２の領域の底面は、例えばパッケージを電気接続するように働きうる。リードフレームの第３の領域の底面は、パッケージを熱的に接続するように働きうる。
【００１０】
パッケージの一実施形態において、筐体は空洞を有する。リードフレームの第１の領域、第２の領域、および第３の領域の上面の少なくとも一部が、空洞に露出している。このようなパッケージの筐体の空洞は、１つ以上のエレクトロニクス半導体チップを収容するよう有利に働きうる。エレクトロニクス半導体チップは、空洞において、筐体のリードフレームの上記領域の露出した上面に電気的かつ熱的に接続されうる。空洞は、空洞に配置されたエレクトロニクス半導体チップを保護するために、埋め込み混合物を収容するようにも働きうる。
【００１１】
パッケージの一実施形態において、第１の領域の上面の第１の部分および第２の部分が、空洞に露出している。筐体の条片（ｆｉｌｌｅｔ）が、第１の部分と第２の部分との間の第１の領域の上面の領域を覆っている。第１の領域の上面の第１の部分および第２の部分はそれぞれ、ボンドワイヤを接続するための独立したボンドワイヤパッドとして有利に働きうる。このため、パッケージを複数の配置で使用することが可能である。
【００１２】
エレクトロニクス部品は、上記のようなパッケージと、第３の領域の上面上の空洞に配置されたエレクトロニクス半導体チップとを備えている。エレクトロニクス部品のパッケージのリードフレームの第３の領域は、エレクトロニクス部品の動作時にエレクトロニクス半導体チップで発生する熱を除去するためのサーマルパッドとして有利に働きうる。第３の領域は、エレクトロニクス半導体チップの電気コンタクトパッドから電気絶縁されうる。
【００１３】
エレクトロニクス部品の一実施形態において、エレクトロニクス部品は、第３の領域の上面に配置されたエレクトロニクス半導体チップを少なくとも２つ備えている。少なくとも２つのエレクトロニクス半導体チップは、第１の領域および第２の領域と直列配置で電気接続されている。直列配置によって、これら少なくとも２つのエレクトロニクス半導体チップは、同一の電流での動作が可能となり有利である。
【００１４】
エレクトロニクス部品の一実施形態において、エレクトロニクス部品は、第３の領域の上面に配置されたエレクトロニクス半導体チップを少なくとも２つ備えている。少なくとも２つのエレクトロニクス半導体チップは、第１の領域および第２の領域と並列配置で電気接続されている。このような配置によってこれら少なくとも２つのエレクトロニクス半導体チップを同一の駆動電圧で駆動することが可能であり有利である。
【００１５】
エレクトロニクス装置は、上記のようなエレクトロニクス部品を少なくとも２つ備えている。エレクトロニクス部品は、例えば発光部品である。したがって、エレクトロニクス部品を少なくとも２つ備えるエレクトロニクス装置は、大光量で光を出射するように設計しうる。
【００１６】
エレクトロニクス装置の一実施形態において、エレクトロニクス部品の少なくとも２つは、直列配置で電気接続されている。このため、これら少なくとも２つのエレクトロニクス部品を同一の駆動電流で駆動することが可能である。
【００１７】
エレクトロニクス装置の一実施形態において、エレクトロニクス部品の少なくとも２つは、並列配置で電気接続されている。このため、これら少なくとも２つのエレクトロニクス部品を同一の駆動電圧で駆動することが可能である。
【００１８】
本発明の上述した特性、特徴、および利点と、これらを達成する方法は、それぞれ概略的に示した図面を参照しながら以下にさらに詳しく説明する例示的な実施形態に関連して、さらに明確かつ包括的に理解されるであろう。
【図面の簡単な説明】
【００１９】
【図１】パッケージの上面の部分的な透視図
【図２】パッケージの上面のさらなる図
【図３】パッケージの底面図
【図４】第１の実施形態のエレクトロニクス部品を示す図
【図５】第２の実施形態のエレクトロニクス部品を示す図
【図６】第３の実施形態のエレクトロニクス部品を示す図
【図７】第４の実施形態のエレクトロニクス部品を示す図
【図８】第１の実施形態のエレクトロニクス装置を示す図
【図９】第２の実施形態のエレクトロニクス装置を示す図
【発明を実施するための形態】
【００２０】
図１は、エレクトロニクス部品のためのパッケージ１０の、概略的な透視上面図である。図２は、パッケージ１０の概略的な非透視上面図である。図３は、パッケージ１０の概略的な底面図である。
【００２１】
パッケージ１０は筐体１００を備えている。筐体１００は、上面１０１と、上面に対向する底面１０２とを有している。上面１０１において、筐体１００は空洞１１０を有している。
【００２２】
筐体１００は、例えばプラスチック材料のような電気絶縁性材料を含有している。筐体１００は、例えばトランスファー成形または射出成形などの成形によって製造されうる。
【００２３】
パッケージ１０は、さらにリードフレーム２００を備えている。リードフレーム２００は、上面２０１と、上面２０１に対向する底面２０２とを有する平坦な形状である。
【００２４】
リードフレーム２００は、例えば金属などの導電材料を含んでいる。リードフレーム２００は、例えば金属板からなる。
【００２５】
リードフレーム２００は、少なくとも部分的に筐体１００に埋め込まれている。リードフレーム２００の筐体１００への埋め込みは、筐体１００の製造時に、リードフレーム２００の周りに筐体１００の材料を成形することで行われうる。
【００２６】
リードフレーム２００は側方において、第１の領域２１０、第２の領域２２０、および第３の領域２３０に分割されている。第１の領域２１０、第２の領域２２０、および第３の領域２３０はそれぞれ、物理的に互いに分離されており、隙間２０３で互いに隔てられており、互いに電気絶縁されている。リードフレーム２００の第１の領域２１０、第２の領域２２０、および第３の領域２３０は、筐体１００によってその位置が保持されている。
【００２７】
第１の領域２１０は、上面２１１と、上面２１１に対向する底面２１２とを有している。第２の領域２２０は、上面２２１と、上面２２１に対向する底面２２２とを有している。第３の領域２３０は、上面２３１と、上面２３１に対向する底面２３２とを有している。第１の領域２１０の上面２１１、第２の領域２２０の上面２２１、および第３の領域２３０の上面２３１は共に、リードフレーム２００の上面２０１を形成している。第１の領域２１０の底面２１２、第２の領域２２０の底面２２２、および第３の領域２３０の底面２３２は共に、リードフレーム２００の底面２０２を形成している。
【００２８】
リードフレーム２００の第１の領域２１０および第２の領域２２０は、それぞれＬ字形をしている。第１の領域２１０および第２の領域２２０は、互いにミラー対称である。リードフレーム２００の第３の領域２３０は、第１の間隙２３３と第２の間隙２３４とを有している。第１の間隙２３３および第２の間隙２３４はそれぞれＬ字形をしている。リードフレーム２００の第１の領域２１０は、第３の領域２３０の第１の間隙２３３に配置されている。リードフレーム２００の第２の領域２２０は、第３の領域２３０の第２の間隙２３４に配置されている。リードフレーム２００のＬ形である第１の領域２１０、およびリードフレーム２００のＬ形である第２の領域２２０は、Ｌ形のそれぞれの辺がリードフレーム２００の外縁に沿うようにリードフレーム２００の角にそれぞれ配置されている。第１の領域２１０、第２の領域２２０、および第３の領域２３０は、組み合わさってほぼ長方形、特にほぼ正方形を構成しうる。リードフレーム２００全体は、鏡軸２０４においてミラー対称である。
【００２９】
リードフレーム２００の第１の領域２１０の底面２１２、第２の領域２２０の底面２２２、および第３の領域２３０の底面２３２は、少なくとも部分的にパッケージ１０の筐体１００の底面１０２で露出している。これら露出している底面２１２、２２２、および２３２の部分において、第１の領域２１０、第２の領域２２０、および第３の領域２３０の底面２１２、２２２、および２３２は、筐体１００の材料で覆われていない。第１の領域２１０、第２の領域２２０、および第３の領域２３０の底面２１２、２２２、および２３２の全体が筐体１００の底面１０２で露出していることが好都合である。
【００３０】
リードフレーム２００の上記領域２１０、２２０、および２３０の露出した底面２１２、２２２、および２３２は、パッケージ１０を電気的および／または熱的に接続するように働きうる。パッケージ１０は例えば、リフローはんだ付けなどのＳＭＴ法等によって表面実装されるＳＭＤパッケージとして設計されうる。
【００３１】
リードフレーム２００の第１の領域２１０の上面２１１、第２の領域２２０の上面２２１、および第３の領域２３０の上面２３１の一部は、パッケージ１０の筐体１００の上面１０１で空洞１１０に露出している。第１の領域２１０、第２の領域２２０、および第３の領域２３０の上面２１１、２２１、および２３１の露出部分は、筐体１００の材料で覆われていない。リードフレーム２００の上記領域２１０、２２０、および２３０の上面２１１、２２１、および２３１の他の部分は、筐体１００の材料で覆われている。
【００３２】
第１の領域２１０の上面２１１の第１の部分２１３および第２の部分２１４は、筐体１００の上面１０１で空洞１１０に露出している。筐体１００の材料から形成される条片１２０が、第１の領域２１０の上面２１１の第１の部分２１３と第２の部分２１４との間の、第１の領域２１０の上面２１１の領域を覆っており、第１の領域２１０の上面２１１の第１の部分２１３を第２の部分２１４から分離している。これに対応して、第２の領域２２０の上面２２１の第１の部分２２３および第２の部分２２４は、筐体１００の上面１０１で空洞１１０に露出している。条片１２０は、第１の部分２２３と第２の部分２２４との間の第２の領域２１０の上面２２１の領域を覆っており、第１の部分２２３を第２の部分２２４から分離している。
【００３３】
図１から３に示す例では、第３の領域２３０は、リードフレーム２００の第１の領域２１０および第２の領域２２０よりも面積が大きい。特に、第３の領域２３０の底面２３２は、第１の領域２００の底面２１２よりも大きく、かつ第２の領域２２０の底面２２２よりも大きい。第３の領域２３０の底面２３２は、第１の領域２１０の底面２１２および第２の領域２２０の底面２２２の面積の合計よりもさらに大きい。しかしながら、これとは面積が異なるリードフレーム２００の上記領域２１０、２２０、および２３０を設計することも可能である。
【００３４】
図４はエレクトロニクス部品２０の概略的な上面図である。エレクトロニクス部品２０は、オプトエレクトロニクス部品でありうる。エレクトロニクス部品２０は、例えば可視光などの電磁放射を発するように設計されうる。
【００３５】
エレクトロニクス部品２０は、図１から３に示すパッケージ１０を備えている。さらに、エレクトロニクス部品２０は、複数のエレクトロニクス半導体チップ３００、すなわち第１のエレクトロニクス半導体チップ３００、３０１、第２のエレクトロニクス半導体チップ３００、３０２、第３のエレクトロニクス半導体チップ３００、３０３、および第４のエレクトロニクス半導体チップ３００、３０４を備えている。エレクトロニクス半導体チップ３００は、例えば可視光などの電磁放射を発するように設計されたオプトエレクトロニクス半導体チップでありうる。エレクトロニクス半導体チップ３００は、例えば発光ダイオードチップ（ＬＥＤチップ）でありうる。
【００３６】
各エレクトロニクス半導体チップ３００は、第１のコンタクトパッド３１０および第２のコンタクトパッド３２０を含んでいる。図４に示す例では、コンタクトパッド３１０および３２０は、エレクトロニクス半導体チップ３００の長方形の上面の角近傍に配置されている。しかしながら、コンタクトパッド３１０および３２０は、エレクトロニクス半導体チップ３００の他の位置にも配置されうる。
【００３７】
エレクトロニクス半導体チップ３００は、パッケージ１０のリードフレーム２００の第３の領域２３０の上面２３１の露出部分で、パッケージ１０の筐体１００の空洞１１０に配置されている。エレクトロニクス半導体チップ３００は、エレクトロニクス半導体チップ３００の底面がリードフレーム２００の第３の領域２３０の上面２３１に対向し、第３の領域２３０の上面２３１に接合されるように配置されている。エレクトロニクス半導体チップ３００は例えば、はんだまたは接着剤を用いて接合されうる。
【００３８】
エレクトロニクス部品２０のエレクトロニクス半導体チップ３００は、パッケージ１０のリードフレーム２００の第１の領域２１０および第２の領域２２０と、ボンドワイヤ３３０を用いて直列配置で電気接続されている。第１のボンドワイヤ３３０は、リードフレーム２００の第１の領域２１０の上面２１１の第１の部分２１３から、第１のエレクトロニクス半導体チップ３００、３０１の第１のコンタクトパッド３１０まで延在しており、リードフレーム２００の第１の領域２１０を第１のエレクトロニクス半導体チップ３００、３０１の第１のコンタクトパッド３１０に電気接続している。第２のボンドワイヤ３３０は、第１のエレクトロニクス半導体チップ３００、３０１の第２のコンタクトパッド３２０を、第２のエレクトロニクス半導体チップ３００、３０２の第１のコンタクトパッド３１０に接続している。第３のボンドワイヤ３３０は、第２のエレクトロニクス半導体チップ３００、３０２の第２のコンタクトパッド３２０を、第３のエレクトロニクス半導体チップ３００、３０３の第１のコンタクトパッド３１０に接続している。第４のボンドワイヤ３３０は、第３のエレクトロニクス半導体チップ３００、３０３の第２のコンタクトパッド３２０を、第４のエレクトロニクス半導体チップ３００、３０４の第１のコンタクトパッド３１０に接続している。第５のボンドワイヤ３３０は、第４のエレクトロニクス半導体チップ３００、３０４の第２のコンタクトパッド３２０を、リードフレーム２００の第２の領域２２０の上面２２１の第１の部分２２３に接続している。
【００３９】
エレクトロニクス部品２０は、パッケージ１０のリードフレーム２００の第１の領域２１０の底面２１２、およびパッケージ１０のリードフレーム２００の第２の領域２２０の底面２２２を介して電気コンタクトされうる。さらに、エレクトロニクス部品２０は、パッケージ１０のリードフレーム２００の第３の領域２３０の底面２３２を介してサーマルコンタクトされうる。エレクトロニクス部品２０のエレクトロニクス半導体チップ３００によって発せられる熱は、リードフレーム２００の第３の領域２３０を経由して消散されうる。
【００４０】
図５は、第２の実施形態のエレクトロニクス部品２０の概略的な上面図である。エレクトロニクス部品２０の第２の実施形態は、図４に示すエレクトロニクス部品２０の第１の実施形態と類似している。以下、エレクトロニクス部品２０の第２の実施形態とエレクトロニクス部品２０の第１の実施形態との違いのみ説明する。
【００４１】
エレクトロニクス部品２０の第２の実施形態では、エレクトロニクス半導体チップ３００は２つのグループに分けられる。第１のエレクトロニクス半導体チップ３００、３０１と第４のエレクトロニクス半導体チップ３００、３０４とは、第１の直列配置で配置されている。第２のエレクトロニクス半導体チップ３００、３０２と第３のエレクトロニクス半導体チップ３００、３０３とは、第２の直列配置で配置されており、第１のエレクトロニクス半導体チップ３００、３０１と第４のエレクトロニクス半導体チップ３００、３０４との第１の直列配置と並列接続されている。
【００４２】
第１のエレクトロニクス半導体チップ３００、３０１の第１のコンタクトパッド３１０は、リードフレーム２００の第１の領域２１０の上面２１１の第１の部分２１３に接続されている。第１のエレクトロニクス半導体チップ３００、３０１の第２のコンタクトパッド３２０は、第４のエレクトロニクス半導体チップ３００、３０４の第１のコンタクトパッド３１０に接続されている。第４のエレクトロニクス半導体チップ３００、３０４の第２のコンタクトパッド３２０は、リードフレーム２００の第２領域２２０の上面２２１の第１の部分２２３に接続されている。第２のエレクトロニクス半導体チップ３００、３０２の第１のコンタクトパッド３１０は、リードフレーム２００の第１領域２１０の上面２１１の第２の部分２１４に電気接続されている。第２のエレクトロニクス半導体チップ３００、３０２の第２のコンタクトパッド３２０は、第３のエレクトロニクス半導体チップ３００、３０３の第１のコンタクトパッド３１０に接続されている。第３のエレクトロニクス半導体チップ３００、３０３の第２のコンタクトパッド３２０は、リードフレーム２００の第２領域２２０の上面２２１の第２の部分２２４に電気接続されている。
【００４３】
図６は、第３の実施形態のエレクトロニクス部品２０の概略的な上面図である。エレクトロニクス部品２０の第３の実施形態は、図４に示すエレクトロニクス部品２０の第１の実施形態と類似している。以下、エレクトロニクス部品２０の第３の実施形態とエレクトロニクス部品２０の第１の実施形態との違いのみ説明する。
【００４４】
エレクトロニクス部品２０の第３の実施形態は、パッケージ１０の筐体１００の空洞１１０において、リードフレーム２００の第３の領域２３０の上面２３１に配置された１６個のエレクトロニクス半導体チップ３００を備えている。これら１６個のエレクトロニクス半導体チップ３００は、リードフレーム２００の第１の領域２１０および第２の領域２２０と、直列配置で電気接続されている。
【００４５】
図７は、第４の実施形態のエレクトロニクス部品２０の概略的な上面図である。エレクトロニクス部品２０の第４の実施形態は、図５に示すエレクトロニクス部品２０の第２の実施形態と類似している。以下、エレクトロニクス部品２０の第４の実施形態とエレクトロニクス部品２０の第２の実施形態との違いのみ説明する。
【００４６】
第４の実施形態では、エレクトロニクス部品２０は、パッケージ１０の筐体１００の空洞１１０において、リードフレーム２００の第３の領域２３０の上面２３１に配置された１６個のエレクトロニクス半導体チップ３００を備えている。これら１６個のエレクトロニクス半導体チップ３００は、２つのグループに分けられる。各グループにおいて、エレクトロニクス半導体チップ３００は直列配置で配置されている。エレクトロニクス半導体チップ３００の２つのグループは、パッケージ１０のリードフレーム２００の第１の領域２１０および第２の領域２２０と並列接続されている。
【００４７】
第１のグループは、第１の領域２１０の上面２１１の第１の部分２１３、および第２の領域２２０の上面２２１の第１の部分２２３と電気接続されている。第２のグループは、第１の領域２１０の上面２１１の第２の部分２１４、および第２の領域２２０の上面２２１の第２の部分２２４と電気接続されている。
【００４８】
他の実施形態において、エレクトロニクス部品２０はエレクトロニクス半導体チップ３００を１つのみ、または他の個数のエレクトロニクス半導体チップ３００を備えうる。エレクトロニクス半導体チップ３００は、直列および並列配置のいずれかの組み合わせで配置されうる。
【００４９】
図８は、エレクトロニクス装置３０の概略的な上面図である。エレクトロニクス装置３０は、図４から７に関連して説明した実施形態の１つである、エレクトロニクス部品２０を９つ備えている。エレクトロニクス部品２０は、３つの列と３つの行からなる規則的な格子状に配置されている。エレクトロニクス部品２０は、導電接続部３４０を介して直列配置で電気接続されている。導電接続部３４０は、例えばエレクトロニクス部品２０が実装されるキャリア上に配置された導電路として設計されうる。エレクトロニクス部品２０の直列配置では、各エレクトロニクス部品２０の第２のコンタクトパッド３２０は、導電接続部３４０の１つを介して次のエレクトロニクス部品２０の第１のコンタクトパッド３１０に電気接続されている。直列配置の第１のエレクトロニクス部品２０の第１のコンタクトパッド３１０、および最後のエレクトロニクス部品２０の第２のコンタクトパッド３２０は、外部陽極および陰極接続部に電気接続されている。
【００５０】
図９は、第２の実施形態のエレクトロニクス装置３０の概略的な上面図である。エレクトロニクス装置３０の第２の実施形態は、図８に示すエレクトロニクス装置３０の第１の実施形態と類似している。以下、エレクトロニクス装置３０の第２の実施形態とエレクトロニクス装置３０の第１の実施形態との違いのみ説明する。
【００５１】
エレクトロニクス装置３０の第２の実施形態では、９つのエレクトロニクス部品２０が、それぞれ３つのエレクトロニクス部品２０からなる３つのグループに分けられている。各グループにおいて、３つのエレクトロニクス部品２０は、直列配置で電気接続されている。直列接続されたエレクトロニクス部品２０の３つのグループは、並列配置で電気接続されている。
【００５２】
上記とは異なる数のエレクトロニクス部品２０を備えるエレクトロニクス装置を構成することも可能である。エレクトロニクス装置３０は、例えばエレクトロニクス部品２０を１つのみ、エレクトロニクス部品２０を２つ、または他の個数のエレクトロニクス部品２０をも備えうる。エレクトロニクス装置３０のエレクトロニクス部品２０は、直列配置および並列配置のいずれかの組み合わせで電気接続されうる。
【００５３】
好ましい例示的な実施形態に基づき、本発明を図示し、より詳細に説明した。しかしながら、本発明は、開示した例に限定されない。むしろ、当業者であれば、開示した例に基づき、本発明の保護範囲から逸脱することなく、他の変形形態を得ることができる。
【符号の説明】
【００５４】
１０  パッケージ
２０  エレクトロニクス部品
３０  エレクトロニクス装置
１００  筐体
１０１  上面
１０２  底面
１１０  空洞
１２０  条片
２００  リードフレーム
２０１  上面
２０２  底面
２０３  隙間
２０４  鏡軸
２１０  第１の領域
２１１  上面
２１２  底面
２１３  第１の部分
２１４  第２の部分
２２０  第２の領域
２２１  上面
２２２  底面
２２３  第１の部分
２２４  第２の部分
２３０  第３の領域
２３１  上面
２３２  底面
２３３  第１の間隙
２３４  第２の間隙
３００  エレクトロニクス半導体チップ
３０１  第１のエレクトロニクス半導体チップ
３０２  第２のエレクトロニクス半導体チップ
３０３  第３のエレクトロニクス半導体チップ
３０４  第４のエレクトロニクス半導体チップ
３１０  第１のコンタクトパッド
３２０  第２のコンタクトパッド
３３０  ボンドワイヤ
３４０  導電接続部
【図１】
0006680875.tif 000002
【図２】
0006680875.tif 000003
【図３】
0006680875.tif 000004
【図４】
0006680875.tif 000005
【図５】
0006680875.tif 000006
【図６】
0006680875.tif 000007
【図７】
0006680875.tif 000008
【図８】
0006680875.tif 000009
【図９】
0006680875.tif 000010